(57)【特許請求の範囲】
【請求項１】
局側通信装置と複数の加入者側通信装置とが接続されるポイント・トゥ・マルチポイント型通信システムに適用される加入者側通信装置において、
前記局側通信装置からのスリープモード指示で指定されたタイミングに基づいて、ホームゲートウェイ側物理インタフェースの一部への電力供給を停止し又は電力供給を再開し、
前記ホームゲートウェイ側物理インタフェースを介して、ホームゲートウェイに前記スリープモード指示を転送することを特徴とする加入者側通信装置。
【請求項２】
前記局側通信装置からのスリープモード指示で指定されたタイミングに基づいて、さらに、光送信器への電力供給を停止し又は電力供給を再開することを特徴とする請求項１に記載の加入者側通信装置。
【請求項３】
前記局側通信装置からのスリープモード指示で指定されたタイミングに基づいて、さらに、光受信器への電力供給を停止し又は電力供給を再開することを特徴とする請求項１又は２に記載の加入者側通信装置。
【請求項４】
前記ホームゲートウェイからの入力トラフィックの優先度の高低によって、電力供給を停止し又は電力供給を再開することを決定することを特徴とする請求項１から３のいずれかに記載の加入者側通信装置。
【請求項５】
前記ホームゲートウェイからの入力トラフィックの優先度の高低に対応した複数のキューを有することを特徴とする請求項４に記載の加入者側通信装置。
【請求項６】
前記ホームゲートウェイからの入力トラフィックのＩＰヘッダに含まれる優先度に関する情報を基に、前記入力トラフィックの優先度を判断することを特徴とする請求項４又は５に記載の加入者側通信装置。
【請求項７】
請求項１から６のいずれかに記載の加入者側通信装置のホームゲートウェイ側物理インタフェースを介して前記加入者側通信装置と接続されるホームゲートウェイにおいて、
前記ホームゲートウェイ側物理インタフェースを介して転送されたスリープモード指示で指定されたタイミングに基づいて、加入者側通信装置側物理インタフェースへの電力供給を停止し又は電力供給を再開することを特徴とするホームゲートウェイ。
【請求項８】
請求項１から６のいずれかに記載の加入者側通信装置と、
請求項７に記載のホームゲートウェイと、
を備える宅内ネットワークシステム。
【請求項９】
局側通信装置と複数の加入者側通信装置とが接続されるポイント・トゥ・マルチポイント型通信システムに適用され、スリープモードへの移行又はスリープモードからの復帰のタイミングが指定されたスリープモード指示を前記加入者側通信装置に送信する局側通信装置と、
請求項１から６のいずれかに記載の加入者側通信装置と、
請求項７に記載のホームゲートウェイと、
を備える加入者ネットワークシステム。
【発明の詳細な説明】
【技術分野】
【０００１】
本発明は、スリープモードを備える加入者側通信装置、加入者側ゲートウェイ装置及び宅内通信システムに関する。
【背景技術】
【０００２】
Ｆｉｂｅｒ  Ｔｏ  Ｔｈｅ  Ｈｏｍｅ（ＦＴＴＨ）に代表されるブロードバンドな通信インフラが世界中で整いつつある。光アクセスシステムの代表的な網構成として、加入者側通信装置（Ｏｐｔｉｃａｌ  Ｎｅｔｗｏｒｋ  Ｕｎｉｔ：ＯＮＵ）と局側通信装置（Ｏｐｔｉｃａｌ  Ｌｉｎｅ  Ｔｅｒｍｉｎａｌ：ＯＬＴ）とが１対１で接続されるシングルスター構成（Ｓｉｎｇｌｅ  Ｓｔａｒ：ＳＳ）及び複数のＯＮＵが１つのＯＬＴに接続される受動光ネットワーク（Ｐａｓｓｉｖｅ  Ｏｐｔｉｃａｌ  Ｎｅｔｗｏｒｋ：ＰＯＮ）構成がある。
【０００３】
ＳＳシステムにおいては、ＯＮＵがＯＬＴを占有出来るので高速通信が可能であるが、装置コストが高いという欠点がある。一方、ＰＯＮシステムにおいては、複数のＯＮＵが１つのＯＬＴや光ファイバ設備を共有するために経済性に優れるという理由から、多くの光アクセスシステムで採用されている。ＰＯＮシステムのネットワーク構成を図１に示す。図１において、６０１は加入者側通信装置（ＯＮＵ）、６０２は局側通信装置（ＯＬＴ）、６０３は光ファイバ伝送路、６０４は光スプリッタ、６０５はホームゲートウェイ（Ｈｏｍｅ−ＧａｔｅＷａｙ：ＨＧＷ）を表す。ＰＯＮシステムは、そのトポロジーから、ポイント・トゥ・マルチポイント型通信システムとも呼ばれる。
【０００４】
ＰＯＮシステムの下り伝送信号は、連続モードで、各ＯＮＵへの信号は時分割多重（Ｔｉｍｅ  Ｄｉｖｉｓｉｏｎ  Ｍｕｌｔｉｐｌｅｘｉｎｇ：ＴＤＭ）されて伝送される。下り伝送信号は全てのＯＮＵにブロードキャストされ、各ＯＮＵは自分宛の信号のみ選択受信する。一方、上り伝送信号は、信号の衝突を避けるために、時分割多元接続（Ｔｉｍｅ  Ｄｉｖｉｓｉｏｎ  Ｍｕｌｔｉｐｌｅ  Ａｃｃｅｓｓ：ＴＤＭＡ）によって、ＯＬＴから指定されたタイミングで各ＯＮＵから送信される。ＯＮＵとＯＬＴ間の伝送距離がＯＮＵ毎に異なるために、ＯＬＴ受信時には、各ＯＮＵからの上り伝送信号は互いに強度と位相の異なる間欠的な信号であるという特徴がある。このため、上り伝送信号の形式はバーストモードと呼ばれる。
【０００５】
昨今のブロードバンドな通信インフラをベースに、固定電話とモバイル情報端末が融合した通信サービスであるＦｉｘｅｄ−Ｍｏｂｉｌｅ  Ｃｏｎｖｅｒｇｅｎｃｅ（ＦＭＣ）などに基づいたホームＩＣＴ（Ｉｎｆｏｒｍａｔｉｏｎ，  Ｃｏｍｍｕｎｉｃａｔｉｏｎ，  ａｎｄ  Ｔｅｃｈｎｏｌｏｇｙ）サービスも開始されるようになってきている。近い将来、様々な情報家電が販売され、ＨＧＷを介して光アクセスシステムへ接続することが予測されていることから、ＦＴＴＨの利用者も、増加すると期待されている。
【０００６】
一方で昨今の環境負荷低減に向けた社会的要請は重要な課題の１つである。通信装置に対する省電力化要求も厳しく、それは光アクセスシステム用通信装置に対しても同様である。光アクセスシステムの消費電力は光通信ネットワークにおける消費電力の６０％を占めると言われている。加えて、情報家電やホームＩＣＴサービスの普及によるＦＴＴＨ利用者の増加は、特にＯＮＵやＨＧＷの絶対数が増加することも意味しており、これらの装置に対する省電力化への要請は一層強まることが予想される。
【０００７】
そのような状況下を鑑み、光アクセスシステムや通信機器の省電力化技術が検討されている。例えばＩＥＥＥ  ８０２．３ａｚタスクフォースにおいては、電気媒体を用いたイーサネット（登録商標）方式における省電力化技術として、Ｅｎｅｒｇｙ−ｅｆｆｉｃｉｅｎｔ  Ｅｔｈｅｒｎｅｔ（登録商標）（ＥＥＥ）が規定された。この規定では、トラフィック非流通時に物理インタフェースの構成要素を一部無効化することによって、機器を省電力化する。ＥＥＥは最近導入が進んでおり、例えば、ＯＮＵにおけるＨＧＷ側物理インタフェース（ＨＧＷ側ＰＨＹ：ＰＨＹｓｉｃａｌ  ｉｎｔｅｒｆａｃｅ，「ＬＡＮ側インタフェース」ともいう）やＨＧＷにおけるＯＮＵ側物理インタフェース（ＯＮＵ側ＰＨＹ：ＰＨＹｓｉｃａｌ  ｉｎｔｅｒｆａｃｅ，「ＷＡＮ側インタフェース」ともいう）においても適用が視野に入ってきている。
【０００８】
また、ＰＯＮシステムにおけるＯＮＵ省電力化技術として、トラフィック非流通時にＯＮＵがスリープモードに移行するというＤｏｚｅやＣｙｃｌｉｃ  ＳｌｅｅｐがＩＴＵ−Ｔ勧告Ｇ．９８７．３に規定されている。
【０００９】
一定周期にわたるスリープモード動作が繰り返される特徴を有し、一般にスリープ状態とアクティブ状態とで構成される。スリープ状態においてＯＮＵは構成部品の一部に対する電力供給を停止する。アクティブ状態においてＯＬＴとメッセージ交換をし、スリープモードの継続可否やリンクの正常性判断を行う。例えばＤｏｚｅモードにおいてはトラフィック非流通時にＯＮＵの光送信器を停止し、また、Ｃｙｃｌｉｃ  Ｓｌｅｅｐモードにおいては、光送信器に加えて光受信器も停止することで省電力化を図る。
【００１０】
ＥＥＥやＰＯＮシステムにおけるスリープ技術を用いた省電力化技術に関して図面を用いて説明する。ＨＧＷおよびＯＮＵを含めた宅内通信システムの構成を図２に示す。ＯＮＵ６０１は主に光送受信器（Ｏｐｔｉｃａｌ  Ｔｒａｎｓｃｅｉｖｅｒ：ＴＲｘ）６１１、ＯＮＵ用ＭＡＣ  ＬＳＩ６１２、Ｑｕｅｕｅ６１３、Ｑｕｅｕｅコントローラ（Ｑｕｅｕｅ  ｃｏｎｔｒｏｌｌｅｒ）６１４、ＯＮＵスリープ制御部（Ｓｌｅｅｐ  ｃｏｎｔｒｏｌｌｅｒ）６１５、ＣＰＵ６１６、タイマ６１７、ＨＧＷ側ＰＨＹ６１８によって構成される。本例においては、ＯＮＵがＱｕｅｕｅ６１３を有している。
【００１１】
一方、ＨＧＷ６０５も、ＯＮＵ側ＰＨＹ６５１を通じてＯＮＵ６０１と接続され、ＨＧＷ用ＭＡＣ  ＬＳＩ６５２、Ｑｕｅｕｅ６５３、Ｑｕｅｕｅコントローラ６５４、ＣＰＵ６５５、Ｌ２ＳＷ６５６、端末側ＰＨＹ６５７を有している。Ｌ２ＳＷ６５６を介して、Ｖｏｉｃｅ  ｏｖｅｒ  ＩＰ（ＶｏＩＰ）機器やＰＣ（Ｐｅｒｓｏｎａｌ  Ｃｏｍｐｕｔｅｒ）などが接続され、加入者は音声通信やインターネットアクセスが出来るようになっている。
【００１２】
次に、ＯＮＵスリープ技術について説明する。図３にはＯＮＵの光送受信器構成を示す。図３に示すように、ＯＮＵは入力される光信号を受信する光受信器（Ｏｐｔｉｃａｌ  ｒｅｃｅｉｖｅｒ：Ｒｘ）１０３と、光信号を出力する光送信器（Ｏｐｔｉｃａｌ  ｔｒａｎｓｍｉｔｔｅｒ：Ｔｘ）１０１、そしてＷＤＭフィルタ１０５とを有する。光受信器１０３は、フォトダイオード（ＰｈｏｔｏＤｉｏｄｅ：ＰＤ）１０４、等化増幅器（ＥＱｕａｌｉｚｉｎｇ  Ａｍｐｌｉｆｉｅｒ：ＥＱＡ）１１１、クロックデータ再生器（Ｃｌｏｃｋ  ａｎｄ  Ｄａｔａ  Ｒｅｃｏｖｅｒｙ：ＣＤＲ）（不図示）を一般に有する。ＯＮＵの機能分担という観点から、ＣＤＲを光受信器に持たせずに、光受信器後段の論理回路部に持たせることもある。ＥＱＡ１１１はインピーダンス変換増幅器（ＴｒａｎｓＩｍｐｅｄａｎｃｅ  Ａｍｐｌｉｆｉｅｒ：ＴＩＡ）１１３と振幅制限増幅器（ＬＩｍｉｔｉｎｇ  Ａｍｐｌｉｆｉｅｒ：ＬＩＡ）１１２を有し、ＣＤＲはクロック再生回路（Ｃｌｏｃｋ  Ｒｅｃｏｖｅｒｙ  Ｃｉｒｃｕｉｔ：ＣＲＣ）（不図示）と識別再生回路（ＤＥｃｉｓｉｏｎ  Ｃｉｒｃｕｉｔ：ＤＥＣ）（不図示）を有する。
【００１３】
光送信器１０１は一般にレーザダイオード（Ｌａｓｅｒ  Ｄｉｏｄｅ：ＬＤ）１０２、ＬＤ駆動器（ＬＤ  Ｄｒｉｖｅｒ：ＬＤＤ）１０９、自動パワー制御器（Ａｕｔｏｍａｔｉｃ  Ｐｏｗｅｒ  Ｃｏｎｔｒｏｌｌｅｒ：ＡＰＣ）１１０を有する。ＬＤＤ１０９はＬＤ１０２に流れる電流を送信信号に基づき駆動し、ＬＤ１０２が対応する光信号を出力する。ＡＰＣ１１０はＬＤ１０２の出力光信号強度が一定の値になるように制御する機能を有する。
【００１４】
ＷＤＭフィルタ１０５は、波長の異なる光信号を分岐／結合する機能を有する。ＰＯＮシステムでは一般に、上り伝送信号と下り伝送信号とで異なる波長を用いて通信するので、ＷＤＭフィルタ１０５を用いて上り伝送信号と下り伝送信号とを物理的に分離する。
【００１５】
非特許文献２において記述されているＤｏｚｅ  ｍｏｄｅというＰＯＮ省電力メカニズムの例を図４に示す。図４において、上から順に、ＯＬＴの送受信する信号、ＯＮＵの送受信する信号、ＯＮＵにおける上りトラフィック、ＯＮＵ光送信器の電源電圧、ＨＧＷ−ＯＮＵ間送受信部の電力、ＯＮＵ光受信器の電源電圧を示している。ＯＬＴ、ＯＮＵの軸上で、上側の記号はＯＬＴが送信する信号、下側の記号はＯＮＵが送信する信号を表す。時刻ｔ１においてＯＮＵが上りデータを送信し終え、上りトラフィックが無くなる。時刻ｔ２においてＯＬＴはＯＮＵがスリープモードに移行可能と判断し、スリープ許可（Ｓｌｅｅｐ  Ａｌｌｏｗ：ＳＡ（ＯＮ））メッセージを送信する。ＳＡ（ＯＮ）メッセージは、スリープモードへの移行許可、ＯＬＴに対して次に上り伝送信号を送信開始する時刻と送信許可データ量に関する情報を含んでいる。時刻に関しては、各装置が絶対時刻を持って、絶対時刻で指示してもよいし、各装置が相対時刻を持って、相対時刻で指示してもよいし、時間長で指示してもよい。逆に、ＳＡ（ＯＦＦ）は、ＯＮＵに対してスリープモードから通常モードへの復帰を指示するメッセージである。ＯＬＴに対して次に上り伝送信号を送信開始する時刻と送信許可データ量を含んでいる。
【００１６】
ＯＬＴからのＳＡ（ＯＮ）に対してＯＮＵは、光送信器に対する給電を停止するＤｏｚｅを選択するとする。ＳＡ（ＯＮ）が時刻ｔ２にＯＮＵに到着し、ＯＮＵは時刻ｔ３においてスリープ要求（Ｓｌｅｅｐ  Ｒｅｑｕｅｓｔ：ＳＲ（Ｄｏｚｅ））メッセージをＯＬＴに対して送信し、タイマを起動させ、時間ｔｓｌｅｅｐ１をセットし、時刻ｔ５から光送信器への電力供給を停止する。ＯＮＵはスリープモードに入って光送信器に対する電力供給を停止する。ＳＲ（Ｄｏｚｅ）は時刻ｔ４においてＯＬＴに到着する。
【００１７】
ＳＲ（Ｄｏｚｅ）は、ＯＬＴに対して、スリープモードへの移行と電力供給停止する部位（例えば、光送信器や光送信器と光受信器）に関する情報を含んでいる。逆に、スリープモードから通常モードへの復帰をＯＬＴに対して通知する際には、ＳＲ（Ａｗａｋｅ）メッセージが用いられる。
【００１８】
時刻ｔ６にＯＮＵにおけるＬＡＮ側インタフェース、ＨＧＷにおけるＷＡＮ側インタフェース間ではトラフィック非流通時に高速にスリープモードに移行し、例えば通常動作時の電力をＰ１とすると、ｔ７まではスリープモードに移行して、その際の消費電力が約Ｐ１／２となる。
【００１９】
時刻ｔ８に、ＯＬＴはＯＮＵがスリープモードから通常モードに移行すべきとの判断をしてＳＡ（ＯＦＦ）メッセージを送信し、時刻ｔ９にＯＮＵがＳＡ（ＯＦＦ）を受信し、電力供給停止していた光送信器を即座に起動する。ＯＮＵは時刻ｔ１０にＳＲ（Ａｗａｋｅ）をＯＬＴに対して送信し、時刻ｔ１１にＯＬＴはＳＲ（Ａｗａｋｅ）を受信する。
【先行技術文献】
【非特許文献】
【００２０】
【非特許文献１】ＩＥＥＥ規格８０２．３ａｚ
【非特許文献２】ＩＴＵ−Ｔ勧告Ｇ．９８７．３
【非特許文献３】“Ｓｔｕｄｙ  ａｎｄ  Ｄｅｍｏｎｓｔｒａｔｉｏｎ  ｏｆ  Ｓｌｅｅｐ  ａｎｄ  Ａｄａｐｔｉｖｅ  Ｌｉｎｋ  Ｒａｔｅ  Ｃｏｎｔｒｏｌ  Ｍｅｃｈａｎｉｓｍｓ  ｆｏｒ  Ｅｎｅｒｇｙ  Ｅｆｆｉｃｉｅｎｔ  １０Ｇ−ＥＰＯＮ，”  ＩＥＥＥ／ＯＳＡＪｏｕｒｎａｌ  ｏｆ  Ｏｐｔｉｃａｌ  Ｃｏｍｍｕｎｉｃａｔｉｏｎｓ  ａｎｄ  Ｎｅｔｗｏｒｋｉｎｇ  Ｖｏｌ．  ２，  Ｎｏ．９，  ｐｐ．７１６−７２９，  Ｓｅｐｔｅｍｂｅｒ，  ２０１０
【発明の概要】
【発明が解決しようとする課題】
【００２１】
非特許文献１に記載のように、ＥＥＥにおいては、ＯＮＵ−ＨＧＷ間物理インタフェースの高速起動・停止という特徴があるが、高速性を追求するがゆえに電力供給制御部位が限定され、省電力効果に限りがあった。一方で、省電力効果を高めるために電力供給制御範囲を拡大すると、電源系の応答に時間を要するために上りトラフィックの遅延増大が避けられなかった。
【００２２】
非特許文献２、３に記載のように、ＯＮＵスリープ技術においてはトラフィック非流通時でのＯＮＵの省電力化が可能であるが、ＨＧＷとの連携まで考慮した省電力化手法に関しては未だ開示されていない。そこで、本発明は、ＯＮＵばかりでなく、ＨＧＷとの連携まで考慮した省電力化を目的とする。
【課題を解決するための手段】
【００２３】
上記目的を達成するために、加入者側通信装置は、局側通信装置からのスリープモード指示をホームゲートウェイにも転送し、スリープモードではホームゲートウェイ側物理インタフェースの一部への電力供給を停止することとした。
【００２４】
具体的には、本発明は、局側通信装置と複数の加入者側通信装置とが接続されるポイント・トゥ・マルチポイント型通信システムに適用される加入者側通信装置において、前記局側通信装置からのスリープモード指示で指定されたタイミングに基づいて、ホームゲートウェイ側物理インタフェースの一部への電力供給を停止し又は電力供給を再開し、前記ホームゲートウェイ側物理インタフェースを介して、ホームゲートウェイに前記スリープモード指示を転送することを特徴とする加入者側通信装置である。
【００２５】
本発明によれば、加入者側通信装置の省電力化が可能となる。また、ホームゲートウェイも省電力化の可能性がある。
【００２６】
本発明の加入者側通信装置は、前記局側通信装置からのスリープモード指示で指定されたタイミングに基づいて、さらに、光送信器への電力供給を停止し又は電力供給を再開することを特徴とする。
【００２７】
本発明によれば、加入者側通信装置の省電力化が可能となる。
【００２８】
本発明の加入者側通信装置は、前記局側通信装置からのスリープモード指示で指定されたタイミングに基づいて、さらに、光受信器への電力供給を停止し又は電力供給を再開することを特徴とする。
【００２９】
本発明によれば、加入者側通信装置の省電力化が可能となる。
【００３０】
本発明の加入者側通信装置は、前記ホームゲートウェイからの入力トラフィックの優先度の高低によって、電力供給を停止し又は電力供給を再開することを決定することを特徴とする。
【００３１】
本発明によれば、優先度の異なるトラフィックを扱う場合でも加入者側通信装置の省電力化が可能となる。
【００３２】
本発明の加入者側通信装置は、前記ホームゲートウェイからの入力トラフィックの優先度の高低に対応した複数のキューを有することを特徴とする。
【００３３】
本発明によれば、優先度の異なるトラフィックを扱う場合でも加入者側通信装置の省電力化が可能となる。
【００３４】
本発明の加入者側通信装置は、前記ホームゲートウェイからの入力トラフィックのＩＰヘッダに含まれる優先度に関する情報を基に、前記入力トラフィックの優先度を判断することを特徴とする。
【００３５】
本発明によれば、優先度の異なるトラフィックを扱う場合でも加入者側通信装置の省電力化が可能となる。
【００３６】
上記目的を達成するために、ホームゲートウェイは、転送されたスリープモード指示に従って、スリープモードでは加入者側物理インタフェースの一部への電力供給を停止することとした。
【００３７】
具体的には、本発明は、前記いずれかに記載の加入者側通信装置のホームゲートウェイ側物理インタフェースを介して前記加入者側通信装置と接続されるホームゲートウェイにおいて、前記ホームゲートウェイ側物理インタフェースを介して転送されたスリープモード指示で指定されたタイミングに基づいて、加入者側通信装置側物理インタフェースへの電力供給を停止し又は電力供給を再開することを特徴とするホームゲートウェイである。
【００３８】
本発明によれば、ホームゲートウェイの省電力化が可能となる。
【００３９】
上記目的を達成するために、加入者側通信装置は、局側通信装置からのスリープモード指示をホームゲートウェイにも転送し、スリープモードではホームゲートウェイ側物理インタフェースの一部への電力供給を停止し、ホームゲートウェイは、スリープモードでは加入者側通信装置側物理インタフェースの一部への電力供給を停止することとした。
【００４０】
具体的には、本発明は、前記いずれかに記載の加入者側通信装置と、前記記載のホームゲートウェイと、を備える宅内ネットワークシステムである。
【００４１】
本発明によれば、加入者側通信装置及びホームゲートウェイの省電力化が可能となる。
【００４２】
上記目的を達成するために、局側通信装置は、スリープモード指示を加入者側装置に送信し、加入者側通信装置は、局側通信装置からのスリープモード指示をホームゲートウェイにも転送し、スリープモードではホームゲートウェイ側物理インタフェースの一部への電力供給を停止し、ホームゲートウェイは、スリープモードでは加入者側通信装置側物理インタフェースの一部への電力供給を停止することとした。
【００４３】
具体的には、本発明は、局側通信装置と複数の加入者側通信装置とが接続されるポイント・トゥ・マルチポイント型通信システムに適用され、スリープモードへの移行又はスリープモードからの復帰のタイミングが指定されたスリープモード指示を前記加入者側通信装置に送信する局側通信装置と、前記いずれかに記載の加入者側通信装置と、前記記載のホームゲートウェイと、を備える加入者ネットワークシステムである。
【００４４】
本発明によれば、加入者側通信装置及びホームゲートウェイの省電力化が可能となる。
【００４５】
なお、上記各発明は、可能な限り組み合わせることができる。
【発明の効果】
【００４６】
本発明によれば、加入者側通信装置は、スリープモードでは、ホームゲートェイ側物理インタフェースの一部まで電力供給を停止するため、加入者側通信装置の省電力効果を高めることができる。
【図面の簡単な説明】
【００４７】
【図１】ＰＯＮシステムのネットワーク構成を説明する図である。
【図２】ＨＧＷおよびＯＮＵを含めた宅内通信システムの構成を説明する図である。
【図３】ＯＮＵの光送受信器構成を示す図である。
【図４】ＰＯＮ省電力メカニズムの例を説明する図である。
【図５】本発明の加入者ネットワークシステムを説明する図である。
【図６】本発明のＯＮＵ及びＨＧＷの構成を説明する図である。
【図７】本発明のＯＮＵおよびＨＧＷの動作を説明する図である。
【図８】本発明のＯＮＵおよびＨＧＷの動作を説明する図である。
【図９】本発明のＯＮＵおよびＨＧＷの動作を説明する図である。
【図１０】本発明のＯＮＵ及びＨＧＷの構成を説明する図である。
【図１１】本発明のＯＮＵおよびＨＧＷの動作を説明する図である。
【図１２】本発明のＯＮＵ及びＨＧＷの構成を説明する図である。
【図１３】本発明のＯＮＵおよびＨＧＷの動作を説明する図である。
【発明を実施するための形態】
【００４８】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。各実施形態は可能な限り組み合わせることができる。
【００４９】
（実施形態１）
本発明の加入者側通信装置（以下、「ＯＮＵ」と略すこともある。）が接続される加入者ネットワークシステムは図５に示すとおりである。図５において、２０１は加入者側通信装置（ＯＮＵ）、２０２は局側通信装置（ＯＬＴ）、２０３は光ファイバ伝送路、２０４は光スプリッタ、２０５はホームゲートウェイ（Ｈｏｍｅ−ＧａｔｅＷａｙ：ＨＧＷ）を表す。図５に示すように、本発明のＯＮＵ２０１は、ＯＬＴ２０２と複数のＯＮＵ２０１とが接続されるポイント・トゥ・マルチポイント型通信システムに適用される。ＯＮＵ２０１には、ＨＧＷ２０５が接続される。ＯＮＵ２０１及びＨＧＷ２０５で宅内ネットワークシステムを構成する。ＯＮＵ２０１の光送受信器構成は図３の通りとする。
【００５０】
本実施形態で説明するポイント・トゥ・マルチポイント型通信システムでは、接続される複数のＯＮＵのうち、少なくとも１つが本実施形態のＯＮＵであってもよい。以下の実施形態でも同様である。
【００５１】
ＯＮＵ２０１及びＨＧＷ２０５の構成を図６に示す。ＯＮＵ２０１は主に光送受信器（Ｏｐｔｉｃａｌ  Ｔｒａｎｓｃｅｉｖｅｒ：ＴＲｘ）２１１、ＯＮＵ用ＭＡＣ  ＬＳＩ２１２、Ｑｕｅｕｅ２１３、Ｑｕｅｕｅコントローラ（Ｑｕｅｕｅ  ｃｏｎｔｒｏｌｌｅｒ）２１４、ＯＮＵスリープ制御部（Ｓｌｅｅｐ  ｃｏｎｔｒｏｌｌｅｒ）２１５、ＣＰＵ２１６、タイマ２１７、ＨＧＷ側ＰＨＹ２１８によって構成される。
【００５２】
ＨＧＷ２０５は、ＯＮＵ側ＰＨＹ２５１を通じてＯＮＵ２０１と接続され、ＨＧＷ用ＭＡＣ  ＬＳＩ２５２、Ｑｕｅｕｅ２５３、Ｑｕｅｕｅコントローラ２５４、ＣＰＵ２５５、Ｌａｙｅｒ−２  Ｓｗｉｔｃｈ（Ｌ２ＳＷ）２５６、端末側ＰＨＹ２５７、タイマ２５８、ＨＧＷスリープ制御部（Ｓｌｅｅｐ  ｃｏｎｔｒｏｌｌｅｒ）２５９を有している。Ｌ２ＳＷ２５６を介して、Ｖｏｉｃｅ  ｏｖｅｒ  ＩＰ（ＶｏＩＰ）機器やＰＣ（Ｐｅｒｓｏｎａｌ  Ｃｏｍｐｕｔｅｒ）などが接続され、加入者は音声通信やインターネットアクセスが出来るようになっている。従来のＨＧＷとは、タイマ２５８およびスリープ制御部２５９を有する点が異なる。
【００５３】
ＯＮＵ２０１が有するスリープ制御部２１５は、トラフィック非流通時に、ＨＧＷ２０５と通信するＨＧＷ側ＰＨＹ２１８への電力供給を停止する機能を有する。また、光送受信器２１１のうち光送信器への電力供給を停止する機能を有してもよい。電力供給を停止する光送信器としては、レーザダイオード、ＬＤ駆動器、自動パワー制御器の少なくとも一つを含む。
【００５４】
ＨＧＷ２０５が有するスリープ制御部２５９は、トラフィック非流通時に、ＯＮＵと通信するＯＮＵ側ＰＨＹ２５１への電力供給を停止する機能を有する。ＯＮＵ２０１及びＨＧＷ２０５は、相互に通信するＨＧＷ側ＰＨＹ２１８及びＯＮＵ側ＰＨＹ２５１の信号送受信に関わる部位に対する電力供給を停止したり、再開したりする際は、お互いに連携して動作するものとする。
【００５５】
次に、本発明のＯＮＵおよびＨＧＷの動作に関して、図７に示すタイムチャートを用いて説明する。以下では、スリープモード指示は、ＳＡ（ＯＮ）として説明する。
【００５６】
ＯＮＵのＱｕｅｕｅに入っていたデータが、時刻ｔ０にＯＮＵからＯＬＴに対して送信され、時刻ｔ１にＯＮＵのＱｕｅｕｅから全てのフレームが送信され、Ｑｕｅｕｅが空になるとする。
【００５７】
一方で、ＯＬＴがＯＮＵに対してスリープモードに入って良い、と判断したら、Ｓｌｅｅｐ＿Ａｌｌｏｗ＿ＯＮ（ＳＡ（ＯＮ））メッセージを送信し、時刻ｔ２にＯＮＵに到着し、ＯＮＵがＳＡ（ＯＮ）メッセージの受信を開始する。ＳＡ（ＯＮ）メッセージは、少なくとも、スリープモードへの移行許可に関する情報を含んでいる。また、本実施形態において、ＯＬＴに対して次に上り伝送信号を送信開始する時刻と送信許可データ量を含んでいるとする。時刻に関しては、各装置が絶対時刻を持って、絶対時刻で指示してもよいし、各装置が相対時刻を持って、相対時刻で指示してもよいし、時間長で指示してもよい。本実施形態において、ＯＬＴからのＳＡ（ＯＮ）に対して、ＯＮＵは光送信器に対する給電を停止するＤｏｚｅを選択するものとする。
【００５８】
ＯＮＵはＳＡ（ＯＮ）メッセージをＨＧＷにも送信し、時刻ｔ３にＨＧＷは受信を開始する。ＯＮＵはＳＡ（ＯＮ）メッセージに対して、Ｓｌｅｅｐ＿Ｒｅｑｕｅｓｔ（Ｄｏｚｅ）（ＳＲ（Ｄｏｚｅ））メッセージを時刻ｔ４にＯＬＴ及びＨＧＷに送信し、時刻ｔ６に送信を終える。ＳＲ（Ｄｏｚｅ）メッセージには、ＳＡ（ＯＮ）メッセージに対してＯＮＵがスリープモードとしてＤｏｚｅを選択するという情報を含んでいる。ＳＲ（Ｄｏｚｅ）メッセージは時刻ｔ５にＨＧＷに到着し、ＨＧＷは時刻ｔ７にＳＲ（Ｄｏｚｅ）メッセージの受信を終える。するとＯＮＵはタイマを起動させ、時間ｔｓｌｅｅｐ１をセットし、時刻ｔ６から光送信器への電力供給を停止する。
【００５９】
ＯＮＵは、ＨＧＷのＯＮＵ側ＰＨＹ２５１と連携し、ＳＲ（Ｄｏｚｅ）メッセージの受信を終える時刻ｔ７からタイマを起動させ、時間ｔｓｌｅｅｐ２をセットし、時刻ｔ７からＨＧＷ側ＰＨＹ２１８の信号送受信に関わる部位に対する電力供給を停止する。
【００６０】
ＨＧＷも、ＨＧＷ側ＰＨＹ２１８と連携し、ＳＲ（Ｄｏｚｅ）メッセージの受信を終えた時刻ｔ７からタイマを起動させ、時間ｔｓｌｅｅｐ２をセットし、時刻ｔ７からＯＮＵ側ＰＨＹ２５１の信号送受信に関わる部位に対する電力供給を停止する。
【００６１】
ここで、ｔｓｌｅｅｐ２について説明する。まず、ＯＮＵとＨＧＷは下りトラフィックの有無やリンク正常性確認のため、スリープモードにおいても定期的に起動してＯＬＴからのＳＡ（ＯＮ）メッセージや、スリープモードからの復帰を命令するメッセージであるＳｌｅｅｐ＿Ａｌｌｏｗ（ＯＦＦ）（ＳＡ（ＯＦＦ））メッセージを受信する。
【００６２】
そして、ＯＮＵとＨＧＷとがＳＡ（ＯＮ）メッセージやＳＲ（Ｄｏｚｅ）メッセージ等の情報を送受信するためには、それまでに、ＨＧＷ側ＰＨＹ２１８及びＯＮＵ側ＰＨＹ２５１がスリープモードから通常モードに復帰している必要がある。ＳＡ（ＯＮ）メッセージには、ＯＬＴに対して次にＯＮＵが上り信号を送信開始する時刻と送信許可データ量に関する情報が含まれている。ＯＬＴからのＳＡ（ＯＮ）メッセージやＳＡ（ＯＦＦ）メッセージがＯＮＵに到着する時刻であるｔ１０をＯＮＵ及びＨＧＷは認識している。
【００６３】
ＨＧＷは、ｔ１０までにＯＮＵ側ＰＨＹ２５１が通常モードに復帰しているように、電源系の応答時間を考慮に入れて、時刻ｔ９にはＯＮＵ側ＰＨＹ２５１に対して電力供給を開始していなければならない。従って、タイマｔｓｌｅｅｐ２の最大値は、ｔ９とｔ７の差である。
【００６４】
時刻ｔ８にＯＬＴからＳＡ（ＯＮ）メッセージがＯＮＵに対して送信される。この時のＳＡ（ＯＮ）メッセージは、ＯＬＴがＯＮＵに対してスリープモードから通常モードへの復帰を指示するものではなく、ＯＮＵが引き続きスリープモードで動作して良いと判断したために送っている。
【００６５】
ＳＡ（ＯＮ）メッセージは時刻ｔ１０にＯＮＵに到着し、ＯＮＵはＨＧＷに同じＳＡ（ＯＮ）メッセージを転送し、ＨＧＷには時刻ｔ１１にＳＡ（ＯＮ）メッセージが到着する。
【００６６】
ＳＡ（ＯＮ）メッセージは、ＯＮＵが次に上り伝送信号を送信開始する時刻ｔ１３と送信許可データ量に関する情報を含んでいる。従って、ＯＮＵはｔ１３には光送信器が通常モードに復帰するように、電源系の応答時間を考慮に入れて時刻ｔ１２から光送信器への電力供給を開始する。
【００６７】
この時、少なくともＯＮＵのＱｕｅｕｅには上りデータが一切存在せず、ＯＮＵが通常モードに復帰する理由もないため、ＯＮＵは引き続きスリープモードで動作することを選択する。
【００６８】
すると、時刻ｔ１３にＯＮＵはＯＬＴとＨＧＷに対してＳＲ（Ｄｏｚｅ）メッセージを送信する。ＳＲ（Ｄｏｚｅ）メッセージは時刻ｔ１５にＯＬＴに到着し、時刻ｔ１４にＨＧＷに到着する。ＨＧＷは時刻ｔ１７にＳＲ（Ｄｏｚｅ）メッセージの受信を終える。
【００６９】
ＯＮＵは、ＳＲ（Ｄｏｚｅ）メッセージの送信を終えた時刻ｔ１６から再びスリープモードに移行し、ＳＡ（ＯＮ）に含まれたメッセージに従って、再びタイマをセットし、時刻ｔ１６から光送信器に対する電力供給を停止する。
【００７０】
ＯＮＵは、ＨＧＷのＯＮＵ側ＰＨＹ２５１と連携し、時刻ｔ１７からＨＧＷ側ＰＨＹ２１８の信号送受信に関わる部位に対する電力供給を停止する。ＨＧＷも、ＨＧＷ側ＰＨＹ２１８と連携し、時刻ｔ１７からＯＮＵ側ＰＨＹ２５１の信号送受信に関わる部位に対する電力供給を停止する。
【００７１】
本実施形態におけるスリープモードでは、光送信器に対する電力供給を停止する指示がＯＬＴ側からなされたため、光受信器は常に電力供給状態が保たれたままである。
【００７２】
このように、ＯＬＴ−ＯＮＵ間で交わされるスリープモードに関するメッセージをＨＧＷにまで転送することにより、従来省電力効果が限られていたＨＧＷ側ＰＨＹ２１８及びＯＮＵ側ＰＨＹ２５１を、遅延の増大無しに省電力化することが可能となる。
【００７３】
また、ＨＧＷ側ＰＨＹ２１８及びＯＮＵ側ＰＨＹ２５１への電力供給停止時において、ＯＮＵ用ＭＡＣ  ＬＳＩ２１２における上りフレーム受信に関わる部位とＨＧＷ用ＭＡＣ  ＬＳＩ２５２におけるＯＮＵへの上りフレーム送信に関わる部位に対する電力供給を制御しても良い。
【００７４】
本実施形態において、ＯＮＵやＨＧＷのスリープ時間に関するタイマの時間をＯＮＵおよびＨＧＷがセットした際、その時間、つまりｔｓｌｅｅｐ１やｔｓｌｅｅｐ２といったタイマの値は、例えばＯＮＵがＯＬＴに対して登録されてリンクが確立した際、ＯＮＵ管理情報として、ＯＬＴがＯＮＵに対して設定し、ＯＮＵは該情報をＨＧＷに対して送信しても良い。もしくは、各スリープ周期毎のＳＡ（ＯＮ）メッセージにスリープ時間に関する情報として、スリープ周期という細かな粒度毎に設定しても良い。また、ＯＮＵに対してスリープモードに関する制御メッセージとして、本実施形態においてはＳＡ（ＯＮ）、ＳＡ（ＯＦＦ）、ＳＲ（Ａｗａｋｅ）、ＳＲ（Ｄｏｚｅ）、ＳＲ（Ｃｙｃｌｉｃ  ｓｌｅｅｐ）といった用語をそれぞれ用いたが、それらに限定されるものではない。また、ＳＲ（Ａｗａｋｅ）をＨＧＷに転送しているが必ずしもその必要は無く、その際は、ＯＮＵのＨＧＷ側ＰＨＹ２１８はトラヒックが無くなったと判断し、互いに連携してＯＮＵのＨＧＷ側ＰＨＹ２１８のスリープモードに遷移しても良い。以下の実施形態においても同様である。
【００７５】
（実施形態２）
本実施形態について、図６、図８を用いて説明する。想定するネットワーク構成、ハードウェア構成は実施形態１と同様であるが、ＯＬＴからの指示により、スリープモードに入っていたＯＮＵが通常モードに復帰する点が実施形態１と異なる。
【００７６】
本発明のＯＮＵおよびＨＧＷの動作に関して、図８に示すタイムチャートを用いて説明する。ＯＮＵのＱｕｅｕｅに入っていたデータが時刻ｔ０にＯＮＵからＯＬＴに対して送信され、時刻ｔ１にＯＮＵのＱｕｅｕｅから全てのフレームが送信され、Ｑｕｅｕｅが空になるとする。
【００７７】
一方で、ＯＬＴがＯＮＵに対してスリープモードに入って良いと判断したら、ＳＡ（ＯＮ）メッセージを送信し、時刻ｔ２にＯＮＵに到着し、ＯＮＵがＳＡ（ＯＮ）メッセージの受信を開始する。ＳＡ（ＯＮ）メッセージは、スリープモードへの移行許可メッセージ、ＯＬＴに対して次に上り伝送信号を送信開始する時刻と送信許可データ量に関する情報を含んでいる。例えば本実施形態において、ＯＬＴからのＳＡ（ＯＮ）に対してＯＮＵは、光送信器に対する給電を停止するＤｏｚｅを選択するものとする。
【００７８】
ＯＮＵはＳＡ（ＯＮ）メッセージをＨＧＷにも送信し、時刻ｔ３にＨＧＷは受信を開始する。
【００７９】
ＯＮＵはＳＡ（ＯＮ）メッセージに対して、ＳＲ（Ｄｏｚｅ）メッセージを時刻ｔ４にＯＬＴ及びＨＧＷに送信し、時刻ｔ６に送信を終える。ＳＲ（Ｄｏｚｅ）は、ＳＡ（ＯＮ）に対してＯＮＵが従い、スリープモードとしてＤｏｚｅを選択するという情報を含んでいる。ＳＲ（Ｄｏｚｅ）メッセージは時刻ｔ５にＨＧＷに到着し、ＨＧＷは時刻ｔ７にＳＲ（Ｄｏｚｅ）メッセージの受信を終える。ＯＮＵはタイマを起動させ、時間ｔｓｌｅｅｐ１をセットし、時刻ｔ６から光送信器への電力供給を停止する。
【００８０】
ＯＮＵは、ＨＧＷのＯＮＵ側ＰＨＹ２５１と連携し、時刻ｔ７からＨＧＷ側ＰＨＹ２１８の信号送受信に関わる部位に対する電力供給を停止する。
【００８１】
ＨＧＷも、ＯＮＵのＨＧＷ側ＰＨＹ２１８と連携し、ＳＲ（Ｄｏｚｅ）メッセージの受信を終えた時刻ｔ７からタイマを起動させ、時間ｔｓｌｅｅｐ２をセットし、時刻ｔ７からＯＮＵ側ＰＨＹ２５１に対する電力供給を停止する。
【００８２】
ＯＬＴは、時刻ｔ８にＳＡ（ＯＦＦ）メッセージをＯＮＵに対して送信する。この時のＳＡ（ＯＦＦ）メッセージは、ＯＬＴがＯＮＵに対してスリープモードから通常モードへの復帰を指示するものである。その契機としては、例えばＯＬＴ側にＯＮＵに対する下りトラフィックが到着した、等が考えられる。
【００８３】
ＳＡ（ＯＦＦ）メッセージは時刻ｔ１０にＯＮＵに到着し、ＯＮＵはＨＧＷに同じＳＡ（ＯＦＦ）メッセージを転送し、時刻ｔ１１にＳＡ（ＯＦＦ）メッセージがＨＧＷに到着する。
【００８４】
ＳＡ（ＯＦＦ）メッセージは、ＯＮＵが次に上り伝送信号を送信開始する時刻ｔ１３と送信許可データ量に関する情報を含んでいる。ＯＮＵはｔ１３には光送信器が通常モードに復帰するように、電源系の応答時間を考慮に入れて時刻ｔ１２から光送信器への電力供給を開始する。
【００８５】
時刻ｔ１３に、ＯＮＵはＯＬＴとＨＧＷに対してＳＲ（Ａｗａｋｅ）メッセージを送信する。このＳＲ（Ａｗａｋｅ）メッセージは、ＯＮＵがスリープモードから通常モードに復帰することを通知するものである。ＳＲ（Ａｗａｋｅ）メッセージは時刻ｔ１４にＨＧＷに到着し、時刻ｔ１５にＯＬＴに到着する。
【００８６】
実施形態１同様、本実施形態におけるスリープモードでは、光送信器に対する電力供給を停止することをＯＮＵが選択しため、光受信器は常に電力供給状態が保たれたままである。
【００８７】
また、本実施形態においても、光送信器への電力供給完了時刻を、上り伝送信号の送信開始時刻であるｔ１３としたが、必ずしもそれである必要はなく、ｔ１３までに光送信器が通常モードに復帰していれば良いため、例えばＳＡ（ＯＮ）メッセージが到着する時刻ｔ１０には光送信器が通常モードに復帰するように、ｔｓｌｅｅｐ１をセットしても良い。
【００８８】
このように、ＯＬＴ−ＯＮＵ間で交わされるスリープモードに関するメッセージをＨＧＷにまで転送することにより、省電力効果が限られていたＨＧＷ側ＰＨＹ２１８及びＯＮＵ側ＰＨＹ２５１も、遅延の増大無しに省電力化することが可能となる。
【００８９】
（実施形態３）
本実施形態について、図６、図９を用いて説明する。想定するネットワーク構成、ハードウェア構成は実施形態１、２と同様であるが、ＨＧＷ側における上りトラフィック発生を契機に、スリープモードに入っていたＯＮＵが通常モードに復帰する点が実施形態１、２と異なる。本発明のＯＮＵおよびＨＧＷの動作に関して、図９に示すタイムチャートを用いて説明する。
【００９０】
ＯＮＵのＱｕｅｕｅに入っていたデータが時刻ｔ０にＯＮＵからＯＬＴに対して送信され、時刻ｔ１にＯＮＵのＱｕｅｕｅから全てのフレームが送信され、Ｑｕｅｕｅが空になるとする。
【００９１】
一方で、ＯＬＴがＯＮＵに対してスリープモードに入って良い、と判断したら、ＳＡ（ＯＮ）メッセージを送信する。ＳＡ（ＯＮ）メッセージは時刻ｔ２にＯＮＵに到着し、ＯＮＵがＳＡ（ＯＮ）メッセージの受信を開始する。ＳＡ（ＯＮ）メッセージは、スリープモードへの移行許可メッセージ、ＯＬＴに対して次に上り伝送信号を送信開始する時刻と送信許可データ量を含んでいる。例えば本実施形態においてＯＬＴからのＳＡ（ＯＮ）に対してＯＮＵは、光送信器に対する給電を停止するＤｏｚｅを選択するものとする。
【００９２】
ＯＮＵはＳＡ（ＯＮ）メッセージをＨＧＷにも送信し、ＨＧＷは時刻ｔ３に受信を開始する。
【００９３】
ＯＮＵはＳＡ（ＯＮ）メッセージに対して、ＳＲ（Ｄｏｚｅ）メッセージを時刻ｔ４にＯＬＴとＨＧＷとに送信し、時刻ｔ６に送信を終える。ＳＲ（Ｄｏｚｅ）メッセージは、ＳＡ（ＯＮ）メッセージに対してＯＮＵが従うという情報を含んでいる。ＳＲ（Ｄｏｚｅ）メッセージは時刻ｔ５にＨＧＷに到着し、ＨＧＷは時刻ｔ７にＳＲ（Ｄｏｚｅ）メッセージの受信を終える。
【００９４】
ＯＮＵはタイマを起動させ、時間ｔｓｌｅｅｐ１をセットし、時刻ｔ６から光送信器への電力供給を停止する。
【００９５】
また、ＯＮＵは、ＨＧＷのＯＮＵ側ＰＨＹ２５１と連携し、時刻ｔ７からＨＧＷ側ＰＨＹ２１８の信号送受信に関わる部位に対する電力供給を停止する。
【００９６】
ＨＧＷも、ＯＮＵのＨＧＷ側ＰＨＹ２１８と連携し、ＳＲ（Ｄｏｚｅ）メッセージの受信を終えた時刻ｔ７からタイマを起動させ、時間ｔｓｌｅｅｐ２をセットし、時刻ｔ７からＯＮＵ側ＰＨＹ２５１に対する電力供給を停止する。
【００９７】
時刻ｔ８には、ＨＧＷ側Ｑｕｅｕｅに上りデータが到着し、ＨＧＷはこれをバッファする。
【００９８】
ＯＬＴからＳＡ（ＯＮ）メッセージがＯＮＵに対して送信される。この時のＳＡ（ＯＮ）メッセージは、ＯＬＴがＯＮＵに対してスリープモードから通常モードへの復帰を指示するものではなく、ＯＮＵが引き続きスリープモードで動作して良いとＯＬＴ側で判断したために送っている。
【００９９】
ＳＡ（ＯＮ）メッセージは時刻ｔ１０にＯＮＵに到着し、ＯＮＵはやはりＨＧＷに同じＳＡ（ＯＮ）メッセージを転送し、ＨＧＷには時刻ｔ１２にＳＡ（ＯＮ）メッセージが到着する。
【０１００】
ＯＮＵがＳＡ（ＯＮ）メッセージをＨＧＷにも転送するために、時刻ｔ１０にはＯＮＵ側ＰＨＹ２５１、ＨＧＷ側ＰＨＹ２１８に対する電力供給が完了するよう、電源系の応答時間を見込んで時刻ｔ９からＯＮＵはＨＧＷ側ＰＨＹ２１８に、ＨＧＷはＯＮＵ側ＰＨＹ２５１にそれぞれ電力供給を開始する。
【０１０１】
一方、ＨＧＷは、蓄積している上りデータを時刻ｔ１１にＯＮＵに対して送信し、時刻ｔ１３にＯＮＵに到着し、ＯＮＵはＱｕｅｕｅにデータを蓄積する。ＯＮＵは、ＯＬＴとＯＮＵに対するＳＲ（Ａｗａｋｅ）メッセージの送信を時刻ｔ１６に開始する。ＳＲ（Ａｗａｋｅ）メッセージは、ＯＮＵがスリープモードから抜けて通常モードに移行することを通知するものである。
【０１０２】
ＯＮＵは、時刻ｔ１６にＯＮＵがＳＲ（Ａｗａｋｅ）メッセージをＯＬＴに対して送信できるよう、電源系の応答時間を考慮に入れて、時刻ｔ１５から、光送信器への電力供給を開始する。
【０１０３】
ここで、ＨＧＷがＯＮＵに対して上りデータを送信するタイミングは、ＯＮＵがＳＡ（ＯＮ）メッセージを受信し、ＨＧＷへの転送を開始する時刻ｔ１０以降であることが好ましい。ＨＧＷが時刻ｔ１０以前にＯＮＵに対して転送しても、ＯＮＵはＳＲ（Ａｗａｋｅ）メッセージをＯＬＴに対して送信できず、電力供給制御時間が短くなる可能性があるからである。なお、ＨＧＷがＳＡ（ＯＮ）受信後にＯＮＵに対してＤＡＴＡを送信しても良いが、ＳＲ（Ａｗａｋｅ）をＯＬＴに送信開始するまでには遅くとも、ＯＮＵに到着している必要がある。
【０１０４】
このように、ＯＬＴ−ＯＮＵ間で交わされるスリープモードに関するメッセージをＨＧＷにまで転送することにより、従来省電力効果が限られていたＯＮＵ側ＰＨＹ２５１、ＨＧＷ側ＰＨＹ２１８をも、遅延の増大無しに省電力化することが可能となる。
【０１０５】
（実施形態４）
本実施形態について、図３、図１０を用いて説明する。想定するネットワーク構成は実施形態１から３と同様であり、基本的な動作も実施形態１と同様である。但し、図１０に示すように、ＯＮＵがスリープ制御に用いるタイマ１（２１７−１）及びタイマ２（２１７−２）の２つ有している点、およびスリープモードにおけるＯＮＵの電力供給を停止する部位が光受信器にまで拡大されている点が異なる。電力供給を停止する光受信器には、受光器であるＰＤ１０４、インピーダンス変換増幅器１１３、振幅制限増幅器１１２の少なくとも一つを含む。
【０１０６】
本実施形態におけるＯＮＵおよびＨＧＷの動作を、図１１を用いて説明する。実施形態１と異なる点のみ説明すると、トラフィック非流通時に、ＯＮＵが有するタイマ２に対してｔｓｌｅｅｐ３をセットし、光受信器に対する電力供給を時刻ｔ６からｔ９にわたって停止する。また、Ｄｏｚｅ時と異なり、光送受信器に対する給電を停止するため、ＳＲ（Ｃｙｃｌｉｃ  ｓｌｅｅｐ）をＯＬＴおよびＨＧＷに対して送信している。
【０１０７】
ここでｔｓｌｅｅｐ３の最大値について説明する。ＯＮＵがＯＬＴからのＳＡ（ＯＮ）メッセージを受信する時刻であるｔ１０までに光受信器に対する電力供給が完了しているよう、時刻ｔ９には光受信器に対する電力供給を再開する必要がある。従って、ｔｓｌｅｅｐ３の最大値は、ｔ６とｔ９の差である。
【０１０８】
このように、ＯＬＴ−ＯＮＵ間で交わされるスリープモードに関するメッセージをＨＧＷにまで転送することにより、従来省電力効果が限られていたＯＮＵ側ＰＨＹ２５１、ＨＧＷ側ＰＨＹ２１８をも、遅延の増大無しに省電力化できる。また、ＯＮＵの電力供給制御対象を光受信器にまで拡大することによって、ＯＮＵの省電力効果を向上することが可能となる。
【０１０９】
本実施形態において、ＯＮＵスリープに関する制御メッセージとしてＳＲ（Ｃｙｃｌｉｃ  ｓｌｅｅｐ）といった用語を用いたが、本発明はそれに限定されるものではない。以下の実施形態においても同様である。
【０１１０】
（実施形態５）
実施形態５について、図１２、図１３を用いて説明する。想定するネットワーク構成は実施形態１〜３と同様であり、基本的な動作も実施形態３と同様である。図１２に示すように、ＯＮＵおよびＨＧＷが、トラヒックの優先度に応じたＱｕｅｕｅを複数有している点が異なる。すなわち、高優先トラヒックデータを蓄積するＱｕｅｕｅ♯１、それ以外の比較的優先度の低いトラヒックデータを蓄積するＱｕｅｕｅ＃２を有する。高優先トラヒックとしては、例えば低遅延性が要求されるＶｏｉｃｅ  ｏｖｅｒ  ＩＰトラヒックなどが挙げられる。
【０１１１】
基本的な動作を図１３に示すが、ほとんど実施形態１〜３と同様である。高優先トラヒックデータを蓄積するＱｕｅｕｅ♯１にデータが入っている場合が、実施形態１〜３において、上りトラフィックがある場合に相当し、低優先トラヒックデータを蓄積するＱｕｅｕｅ♯２にデータが入っている場合が、実施形態１〜３において、上りトラフィックがない場合に相当する。
【０１１２】
本実施形態においては、高優先トラヒックデータをＱｕｅｕｅ＃１に蓄積し、低優先トラヒックデータをＱｕｅｕｅ＃２に蓄積したが、これに限定されるものではなく、高優先トラヒックをＱｕｅｕｅ＃２に蓄積し、低優先トラヒックデータをＱｕｅｕｅ＃１に蓄積しても良い。ただし、この場合には高優先のトラヒックデータが蓄積されているＱｕｅｕｅ＃２から優先的に出力されるものとする。
【０１１３】
また、本実施形態では優先度を高優先と低優先の２種類としたが、これに限定されるものではなく、２種類より多くても良い。なお、入力トラヒックデータの優先度は、例えば、入力トラヒックデータのＶＬＡＮタグのＣｏＳ値やＩＰヘッダのＴｏＳ値に基づいて判断することができる。
【０１１４】
このように、ＯＬＴ−ＯＮＵ間で交わされる省電力モードに関するメッセージをＨＧＷにまで転送することにより、従来省電力効果が限られていたＯＮＵ側ＰＨＹ２５１、ＨＧＷ側ＰＨＹ２１８をも、遅延の増大無しに省電力化できる。また、優先度の高いトラヒックを取り扱うような状況においても、遅延の増大無しに省電力化することが可能となる。
【産業上の利用可能性】
【０１１５】
本発明は情報通信産業に適用することができる。
【符号の説明】
【０１１６】
２０１：加入者側通信装置（ＯＮＵ）
２０２：局側通信装置（ＯＬＴ）
２０３：光ファイバ伝送路
２０４：光スプリッタ
２０５：ホームゲートウェイ（Ｈｏｍｅ−ＧａｔｅＷａｙ：ＨＧＷ）
２１１：光送受信器
２１２：ＯＮＵ用ＭＡＣ  ＬＳＩ
２１３：Ｑｕｅｕｅ
２１４：Ｑｕｅｕｅコントローラ
２１５：ＯＮＵスリープ制御部
２１６：ＣＰＵ
２１７、２１７−１、２１７−２：タイマ
２１８：ＨＧＷ側物理インタフェース（ＨＧＷ側ＰＨＹ：ＰＨＹｓｉｃａｌ  ｉｎｔｅｒｆａｃｅ）  
２５１：ＯＮＵ側ＰＨＹ
２５２：ＨＧＷ用ＭＡＣ  ＬＳＩ
２５３、２５３−１、２５３−２：Ｑｕｅｕｅ
２５４：Ｑｕｅｕｅコントローラ
２５５：ＣＰＵ
２５６：Ｌａｙｅｒ−２  Ｓｗｉｔｃｈ
２５７：端末側ＰＨＹ
２５８：タイマ
２５９：ＨＧＷスリープ制御部
６０１：加入者側通信装置（ＯＮＵ）
６０２：局側通信装置（ＯＬＴ）
６０３：光ファイバ伝送路
６０４：光スプリッタ
６０５：ホームゲートウェイ（Ｈｏｍｅ−ＧａｔｅＷａｙ：ＨＧＷ）
６１１：光送受信器
６１２：ＭＡＣ  ＬＳＩ
６１３：Ｑｕｅｕｅ
６１４：Ｑｕｅｕｅコントローラ
６１５：ＯＮＵスリープ制御部
６１６：ＣＰＵ
６１７：タイマ
６１８：ＨＧＷ側ＰＨＹ
６５１：ＯＮＵ側ＰＨＹ
６５２：ＭＡＣ  ＬＳＩ
６５３：Ｑｕｅｕｅ
６５４：Ｑｕｅｕｅコントローラ
６５５：ＣＰＵ
６５６：Ｌ２ＳＷ
６５７：端末側ＰＨＹ
【図１】
0005718258.tif 000002
【図２】
0005718258.tif 000003
【図３】
0005718258.tif 000004
【図４】
0005718258.tif 000005
【図５】
0005718258.tif 000006
【図６】
0005718258.tif 000007
【図７】
0005718258.tif 000008
【図８】
0005718258.tif 000009
【図９】
0005718258.tif 000010
【図１０】
0005718258.tif 000011
【図１１】
0005718258.tif 000012
【図１２】
0005718258.tif 000013
【図１３】
0005718258.tif 000014